(57)【要約】【課題】手動式バルブのハンドルから外れ難いウィルキーを提供する。【解決手段】ウィルキー１ａはハンドル９０を回転して手動式バルブを開閉する。ウィルキー１ａは、一端側に把持部１０ａを有する長尺の操作桿１０と、短尺の第１及び第２アーム１１・１２を備える。第１アーム１１は、操作桿１０の他端側の終端から屈折して操作桿１０の長手方向と略直交する方向に延び、スポーク９３、及びリム９４の内側に当接可能である。第２アーム１２は、第１アーム１１と所定間隔を設けて第１アーム１１と略平行するように操作桿１０から延び、リム９４の外側に当接可能である。第１アーム１１は、リム９４の外周に係合可能な第１凹部１１ａを隅部に設け、第２アーム１２は、リム９４の外周に係合可能な第２凹部１２ａを隅部に設けている。【選択図】図１
2009028846.tif 000002
【特許請求の範囲】
【請求項１】
ステムとねじ結合するハブと、このハブを中心に放射状に延びる複数のスポークと、これらのスポークの延端に結合する円環状のリムと、を有するハンドルを回転することにより手動式バルブを開閉するためのウィルキーであって、
一端側に把持部を有する長尺の操作桿と、
前記操作桿の他端側の終端から屈折して当該操作桿の長手方向と略直交する方向に延び、前記スポーク、及び前記リムの内側に当接可能な短尺の第１アームと、
前記第１アームと所定間隔を設けて当該第１アームと略平行するように前記操作桿から延び、前記リムの外側に当接可能な短尺の第２アームと、を備え、
前記第１アームと第２アームのいずれか一方は、前記リムの外周に係合可能な第１凹部又は第２凹部を隅部に設けているウィルキー。
【請求項２】
ステムとねじ結合するハブと、このハブを中心に放射状に延びる複数のスポークと、これらのスポークの延端に結合する円環状のリムと、を有するハンドルを回転することにより手動式バルブを開閉するためのウィルキーであって、
一端側に把持部を有する長尺の操作桿と、
前記操作桿の他端側の終端から屈折して当該操作桿の長手方向と略直交する方向に延び、前記スポーク、及び前記リムの内側に当接可能な短尺の第１アームと、
前記第１アームと所定間隔を設けて当該第１アームと略平行するように前記操作桿から延び、前記リムの外側に当接可能な短尺の第２アームと、を備え、
前記第１アームと第２アームは、前記リムの外周に係合可能な第１凹部又は第２凹部をそれぞれ隅部に設けているウィルキー。
【請求項３】
前記第１凹部又は前記第２凹部は、前記リムを囲う第１段差又は第２段差で形成されている請求項１又は２記載のウィルキー。
【請求項４】
前記第１凹部又は前記第２凹部は、前記リムを囲う第１窪み又は第２窪みで形成されている請求項１又は２記載のウィルキー。
【請求項５】
前記第１段差と前記第２段差とは、対向して略平行する一対の段差面を有し、前記手動式バルブを開く方向に前記ハンドルを回転させるように前記一対の段差面が形成されている請求項３記載のウィルキー。
【請求項６】
前記第１段差と前記第２段差とは、対向して略平行する一対の段差面を有し、前記手動式バルブを閉じる方向に前記ハンドルを回転させるように前記一対の段差面が形成されている請求項３記載のウィルキー。
【請求項７】
前記操作桿、前記第１アーム、及び前記第２アームは、略円形の柱状体で形成される請求項１から６のいずれかに記載のウィルキー。
【請求項８】
前記操作桿、前記第１アーム、及び前記第２アームは、略矩形の柱状体で形成される請求項１から６のいずれかに記載のウィルキー。
【発明の詳細な説明】
【技術分野】
【０００１】
本発明は、ウィルキーに関する。特に、手動式バルブを開閉するハンドルを回す特殊用途の工具であるウィルキーの構造に関する。
【背景技術】
【０００２】
火力発電所や化学プラントなどは、各種の流体や気体を移送するために多数の配管が敷設されている。そして、これらの配管の流量を調整する流量調整弁や配管の流路を開閉する開閉弁が随所に配置されている。開閉弁は、例えば、手動式バルブが使用されている。手動式バルブは、ハンドルを回すことにより配管の流路を開閉できる。
【０００３】
火力発電所や化学プラントなどに使用されている手動式バルブは、閉じられた状態、又は開かれた状態で維持されて期間が長く、ハンドルの回転が困難な場合が多い。又、高圧の非圧縮流体を開閉する手動式バルブは、ハンドルの回転が困難な場合が多い。したがって、手動では、ハンドルを回転することが困難であるため、定期点検などでは、ウィルキーを用いてハンドルを回転させている。ウィルキーをハンドルに係止することにより、ハンドルの回転トルクを増大できるからである。
【０００４】
このようなウィルキーとしては、異なる直径を有する複数種類のハンドルに対応可能な汎用性のあるウィルキーが考案されている（例えば、特許文献１参照）。
【０００５】
特許文献１によるウィルキーは、長尺の操作桿を備えており、この操作桿から固定アームと可動アームが延長されている。そして、可動アームは、スライド可能に操作桿に装着され、固定アームに対して進退可能に構成されている。又、固定アームと可動アームとは、操作桿から外側へ拡がるように配置されている。特許文献１によるウィルキーは、複数種類のウィルキーを現場まで持ち運ぶ必要がなくなり、１本のウィルキーで異なる直径を有するハンドルに対応できる、としている。
【特許文献１】実開平６−１７８７４号公報
【発明の開示】
【発明が解決しようとする課題】
【０００６】
特許文献１によるウィルキーは、ハンドルの中心を跨って操作される。例えば、大型の手動式バルブは、ハンドルの中心にスクリューが突出しているので、特許文献１によるウィルキーは、ハンドルへの装着が困難であるという問題がある。ウィルキーは、ハンドルの中心を跨がないことが好ましい。
【０００７】
又、特許文献１によるウィルキーは、操作桿から外側へ拡がるように配置されているので、ハンドルへの着脱が迅速でないという問題もある。例えば、手動式バルブの周囲には柱やパイプなどの障害物が配置されており、障害物に遮られて、操作桿を所定範囲内でしか移動できないことがある。したがって、ハンドルへの着脱を繰り返して、ハンドルを回転させている。ウィルキーは、ハンドルへの着脱が容易であることが好ましい。
【０００８】
図１０は、従来技術による一般的なウィルキーを示す斜視外観図である。図１１は、従来技術による一般的なウィルキーを用いて、手動式バルブが閉じる方向にハンドルを回転している状態図である。図１２は、従来技術による一般的なウィルキーがハンドルから外れた状態図である。
【０００９】
図１０において、ウィルキー８は、長尺の操作桿８０と、短尺の第１及び第２アーム８１・８２と、を備えている。操作桿８０は、一端側に把持部８ａを有している。第１アーム８１は、操作桿８０の他端側の終端から屈折しており、操作桿８０の長手方向と略直交する方向に延びている。第２アーム８２は、第１アーム８１と所定間隔を設けており、第１アーム８１と略平行するように操作桿８０から延びている。ウィルキー８は、操作桿８０及び第１及び第２アーム８１・８２が、例えば鍛造などで一体に成形されており、剛体の工具となっている。
【００１０】
図１１において、手動式バルブ９は、回転可能なハンドル９０を備えている。ハンドル９０は、ハブ９２と複数のスポーク９３と円環状のリム９４を有している。ハブ９２は、ステム９１とねじ結合している。スポーク９３は、ハブ９２を中心に放射状に延びている。リム９４は、スポーク９３の延端に結合している。ウィルキー８を用いて、ハンドル９０を回転することにより、手動式バルブ９を開閉できる。
【００１１】
図１１に示されるように、スポーク９３及びリム９４の内側に第１アーム８１を当接し、リム９４の外側に第２アーム８２を当接し、操作桿８０をハンドル９０の遠心方向に引っ張りつつ、手前側に引き、ハンドル９０を時計方向に回転することにより、手動式バルブ９を閉じることができる。
【００１２】
一方、スポーク９３及びリム９４の内側に第１アーム８１を当接し、リム９４の外側に第２アーム８２を当接し、操作桿８０をハンドル９０の遠心方向に引っ張りつつ、奥側に押し、ハンドル９０を反時計方向に回転することにより、手動式バルブ９を開くことができる。
【００１３】
図１１に示されるように、ウィルキー８は、ハンドル９０の中心を跨ってはおらず、又、短尺の第１及び第２アーム８１・８２が真直ぐ延びているので、ハンドル９０への着脱も容易である。
【００１４】
例えば、図１１に示されたハンドル９０は、操作者の腰部の高さに配置されているので、ウィルキー８をハンドル９０に係合して回転させることは比較的容易である。一方、図１２に示されたハンドル９０は、操作者の頭部の高さに配置されているので、ウィルキー８をハンドル９０に係合して回転させることは比較的困難である。図１２において、第１及び第２アーム８１・８２は、曲面を形成しているリム９４と点接触しているので、ハンドル９０から外れ易いということもあり得る。
【００１５】
このように火力発電所や化学プラントなどは、ウィルキー８を困難な姿勢で操作することがあり、一般的な従来のウィルキー８の長所を活かしつつ、ハンドル９０から外れ難いウィルキーが求められる。そして、以上が本発明の課題といってよい。
【００１６】
本発明は、このような問題に鑑みてなされたものであり、一般的な従来のウィルキーの長所を活かしつつ、手動式バルブのハンドルから外れ難いウィルキーを提供することを目的とする。
【課題を解決するための手段】
【００１７】
本発明者は、ウィルキーのアームにリムの外周に係合可能な凹部を設けることにより、ウィルキーがハンドルから外れ難いことを見出し、これに基づいて、以下のような新たなウィルキーを発明するに至った。
【００１８】
（１）  ステムとねじ結合するハブと、このハブを中心に放射状に延びる複数のスポークと、これらのスポークの延端に結合する円環状のリムと、を有するハンドルを回転することにより手動式バルブを開閉するためのウィルキーであって、一端側に把持部を有する長尺の操作桿と、前記操作桿の他端側の終端から屈折して当該操作桿の長手方向と略直交する方向に延び、前記スポーク、及び前記リムの内側に当接可能な短尺の第１アームと、前記第１アームと所定間隔を設けて当該第１アームと略平行するように前記操作桿から延び、前記リムの外側に当接可能な短尺の第２アームと、を備え、前記第１アームと第２アームのいずれか一方は、前記リムの外周に係合可能な第１凹部又は第２凹部を隅部に設けているウィルキー。
【００１９】
（１）の発明によるウィルキーは、手動式バルブを開閉するためのウィルキーであって、手動式バルブは回転可能なハンドルを備えている。ハンドルは、ハブと複数のスポークと円環状のリムを有している。ハブはステムとねじ結合している。スポークはハブを中心に放射状に延びている。リムはスポークの延端に結合している。ウィルキーを用いて、ハンドルを回転することにより、手動式バルブを開閉できる。
【００２０】
そして、（１）の発明によるウィルキーは、長尺の操作桿と短尺の第１及び２アームを備えている。操作桿は、一端側に把持部を有している。第１アームは、操作桿の他端側の終端から屈折して操作桿の長手方向と略直交する方向に延びている。又、第１アームは、スポーク及びリムの内側に当接可能となっている。第２アームは、第１アームと所定間隔を設けて第１アームと略平行するように操作桿から延びている。又、第２アームは、リムの外側に当接可能となっている。そして、第１アームと第２アームのいずれか一方は、リムの外周に係合可能な第１凹部又は第２凹部を隅部に設けている。
【００２１】
一般に、手動式バルブは、本体に円板状の弁体が収容されている。この弁体が流路に対して直交する方向に移動して、流路を開閉する。弁体はステムを介してハンドルとねじ結合している。ハンドルを左に回す（反時計方向）と弁体が流路から離反する方向に移動するので、流路を開くことができる。一方、ハンドルを右に回す（時計方向）と弁体が流路に向かってに移動するので、流路を閉じることができる。ここで、ハンドルは、ハブと複数のスポークと円環状のリムで構成されている。
【００２２】
本発明によるウィルキーによって操作される手動式バルブは、比較的大型の手動式バルブを対象としている。比較的大型の手動式バルブとは、両手でハンドルを回すような手動式バルブを意味しており、ウィルキーを用いて固くなったハンドルを回転できる。片手でハンドルを回転する程度の小型の手動式バルブは、ウィルキーとは異なる工具で固くなったハンドルを回転させている。
【００２３】
ここで、長尺の操作桿とは、操作桿が十分な長さをもつ棒体であることを意味しており、ウィルキーをハンドルに係止することにより、ハンドルの回転トルクを増大できる。例えば、市販のウィルキーは、操作桿の口径によって異なるが、３００ｍｍ、５００ｍｍ、６００ｍｍの長さの操作桿が用意されている。把持部は、梃子の原理でいう力点として機能し、実体として操作桿に把持部としての境界があるわけではない。操作桿の一端側領域を把持部としている。
【００２４】
短尺の第１及び第２アームとは、第１及び第２アームが比較的短い長さをもつことを意味している。第１及び第２アームは、長尺の操作桿より十分短いことはもちろんであるが、リムの直径を十分に超える長さを有している。第１及び第２アームが過剰に長いとハンドルへの挿抜が容易でなくなる。第１及び第２アームは、適宜な短尺であることが好ましい。対応すべきハンドルの大きさによって異なるが、例えば、第１及び第２アームは、２５〜６０ｍｍの範囲で段階的に長さが設定されることが好ましい。第１アームと第２アームとの長さが異なることを制約しないが、第１アームと第２アームの長さが等しいことが好ましい。
【００２５】
第１アームと第２アームとは、所定間隔を設けて平行に延びているとは、第１アームと第２アームとが、リムを跨ぐことを意味している。この間隔が短いと、リムを跨ぐことが困難となる。一方、この間隔が長すぎると、スポークの延びる方向に対して操作桿が直交するように配置されるので、梃子の力点としての機能が軽減される。第１アームと第２アームとは、適宜な間隔が好ましい。
【００２６】
本発明によるウィルキーは、操作桿、第１アーム、及び第２アームが例えば、鍛造などで一体に成形されており、剛体の工具となっている。例えば、本発明によるウィルキーは、硬度及び強度など機械的性質が優れたベリリウム銅合金（Ｂｅ−Ｃｕ）から製造される。ベリリウム銅合金に替わる銅合金で、本発明によるウィルキーを製造してもよい。
【００２７】
第１アームは、操作桿の他端側の終端から屈折して操作桿の長手方向と略直交する方向に延びているが、第１アームが延びる途上で屈曲することを制限しない。すなわち、リムの内側に係合可能な第１凹部を第１アームの基端側に設けてもよい。同様に、第２アームは、操作桿の長手方向と略直交する方向に延びているが、第２アームが延びる途上で屈曲することを制限しない。すなわち、リムの外側に係合可能な第２凹部を第２アームの基端側に設けてもよい。
【００２８】
第１凹部又は第２凹部はリムの外周に係合可能であるとは、第１凹部又は第２凹部の縁がリムの外周に係止して、第１アーム又は第２アームがリムに対して移動が困難となることを意味している。すなわち、第１アーム又は第２アームがリムから外れ難くなる。第１凹部又は第２凹部がリムの外周に係合していることは、把持部から体感できると考えられる。第１及び第２凹部は、後述するように、段差であってもよく、窪みであってもよい。
【００２９】
手動式バルブを閉じるときには、ハンドルを時計方向に回転させるので、人間の習性として、ウィルキーを引き下げる力が作用すると考えられる。すなわち、第２アームを支点として第１アームが浮き上がるように回転し、第１アームがリムから外れ易いと考えられる。手動式バルブを閉じるときには、第１アームに第１凹部を設けることが好ましいと考えられる。
【００３０】
一方、手動式バルブを開くときには、ハンドルを反時計方向に回転させるので、人間の習性として、ウィルキーを押し上げる力が作用すると考えられる。すなわち、第１アームを支点として第２アームが浮き上がるように回転し、第２アームがリムから外れ易いと考えられる。手動式バルブを開くときには、第２アームに第２凹部を設けることが好ましいと考えられる。
【００３１】
一般、手動式バルブを閉じるときには、過剰に締め付けることは好ましくない。いわゆる、ねじを切ることが発生したり、手動式バルブに内蔵されたシールやパッキンを傷つけるからである。一方、手動式バルブを過剰に緩めるということを想定することは困難である。ウィルキーを用いて固くなったハンドルを緩めると、締め付けトルクがある段階で軽減されたことが体感され、この段階でウィルキーの操作を中止するからである。こうした観点からは、第２アームに第２凹部を設けるウィルキーが好ましい。
【００３２】
一方、工具に人間が慣れるともいわれ、第１アームに第１凹部を設けたウィルキーを用いて、ハンドルを外すことなく手動式バルブを開くことができ、第２アームに第２凹部を設けたウィルキーを用いて、ハンドルを外すことなく、手動式バルブを閉じることができると考えられる。つまり、第１凹部又は第２凹部がいずれか一方だけであっても、手動式バルブの開閉にハンドルを外すことなく有効に機能すると考えられる。
【００３３】
このように、（１）の発明によるウィルキーは、長尺の操作桿と短尺の第１及び２アームを備え、第１アームと第２アームのいずれか一方は、ハンドルを構成するリムの外周に係合可能な第１凹部又は第２凹部を隅部に設けているので、ウィルキーが手動式バルブのハンドルから外れ難いという効果がある。
【００３４】
（２）  ステムとねじ結合するハブと、このハブを中心に放射状に延びる複数のスポークと、これらのスポークの延端に結合する円環状のリムと、を有するハンドルを回転することにより手動式バルブを開閉するためのウィルキーであって、一端側に把持部を有する長尺の操作桿と、前記操作桿の他端側の終端から屈折して当該操作桿の長手方向と略直交する方向に延び、前記スポーク、及び前記リムの内側に当接可能な短尺の第１アームと、前記第１アームと所定間隔を設けて当該第１アームと略平行するように前記操作桿から延び、前記リムの外側に当接可能な短尺の第２アームと、を備え、前記第１アームと第２アームは、前記リムの外周に係合可能な第１凹部又は第２凹部をそれぞれ隅部に設けているウィルキー。
【００３５】
（２）の発明によるウィルキーは、手動式バルブを開閉するためのウィルキーであって、手動式バルブは回転可能なハンドルを備えている。ハンドルは、ハブと複数のスポークと円環状のリムを有している。ハブはステムとねじ結合している。スポークはハブを中心に放射状に延びている。リムはスポークの延端に結合している。ウィルキーを用いて、ハンドルを回転することにより、手動式バルブを開閉できる。
【００３６】
そして、（２）の発明によるウィルキーは、長尺の操作桿と短尺の第１及び２アームを備えている。操作桿は、一端側に把持部を有している。第１アームは、操作桿の他端側の終端から屈折して操作桿の長手方向と略直交する方向に延びている。又、第１アームは、スポーク及びリムの内側に当接可能となっている。第２アームは、第１アームと所定間隔を設けて第１アームと略平行するように操作桿から延びている。又、第２アームは、リムの外側に当接可能となっている。そして、第１アームと第２アームは、リムの外周に係合可能な第１凹部又は第２凹部をそれぞれ隅部に設けている。
【００３７】
（２）の発明によるウィルキーは、長尺の操作桿と短尺の第１及び２アームを備え、第１アームと第２アームは、ハンドルを構成するリムの外周に係合可能な第１凹部又は第２凹部をそれぞれ隅部に設けているので、手動式バルブのハンドルからウィルキーがより確実に外れ難いという効果がある。
【００３８】
（３）  前記第１凹部又は前記第２凹部は、前記リムを囲う第１段差又は第２段差で形成されている（１）又は（２）記載のウィルキー。
【００３９】
（４）  前記第１凹部又は前記第２凹部は、前記リムを囲う第１窪み又は第２窪みで形成されている（１）又は（２）記載のウィルキー。
【００４０】
（５）  前記第１段差と前記第２段差とは、対向して略平行する一対の段差面を有し、前記手動式バルブを開く方向に前記ハンドルを回転させるように前記一対の段差面が形成されている（３）記載のウィルキー。
【００４１】
（５）の発明によるウィルキーは、ハンドルを反時計方向に回転させて手動式バルブを開くことができる。ハンドルの操作面から見て、スポークの左側とリムの内側が交差する隅部に第１アームが挿入される。第２アームは第１アームに対して右下に位置するように配置される。そして、把持部を反時計方向に回転させる。
【００４２】
（５）の発明によるウィルキーは、ハンドルに対して前記のように配置されるので、第２アームから第１アームに向かう方向に対して、第１段差の段差面は、左略４５度に開角して開口する。一方、第１アームから第２アームに向かう方向に対して、第２段差の段差面は、右略４５度に開角して開口する。
【００４３】
（５）の発明によるウィルキーは、手動式バルブを開く専用のウィルキーとして、手動式バルブのハンドルからより確実に外れ難いという効果がある。
【００４４】
（６）  前記第１段差と前記第２段差とは、対向して略平行する一対の段差面を有し、前記手動式バルブを閉じる方向に前記ハンドルを回転させるように前記一対の段差面が形成されている（３）記載のウィルキー。
【００４５】
（６）の発明によるウィルキーは、ハンドルを時計方向に回転させて手動式バルブを閉じることができる。ハンドルの操作面から見て、スポークの右側とリムの内側が交差する隅部に第１アームが挿入される。第２アームは第１アームに対して左下に位置するように配置される。そして、把持部を時計方向に回転させる。
【００４６】
（６）の発明によるウィルキーは、ハンドルに対して前記のように配置されるので、第２アームから第１アームに向かう方向に対して、第１段差の段差面は、右略４５度に開角して開口する。一方、第１アームから第２アームに向かう方向に対して、第２段差の段差面は、左略４５度に開角して開口する。
【００４７】
（６）の発明によるウィルキーは、手動式バルブを閉じる専用のウィルキーとして、手動式バルブのハンドルからより確実に外れ難いという効果がある。
【００４８】
（７）  前記操作桿、前記第１アーム、及び前記第２アームは、略円形の柱状体で形成される（１）から（６）のいずれかに記載のウィルキー。
【００４９】
（７）  前記操作桿、前記第１アーム、及び前記第２アームは、略矩形の柱状体で形成される（１）から（６）のいずれかに記載のウィルキー。
【発明の効果】
【００５０】
本発明によるウィルキーは、長尺の操作桿と短尺の二つのアームを備え、リムの外周に係合可能な凹部をアームに設けているので、ウィルキーが手動式バルブのハンドルから外れ難いという効果がある。
【発明を実施するための最良の形態】
【００５１】
以下、図面を参照して本発明を実施するための最良の形態を説明する。
【００５２】
図１は、本発明によるウィルキーの第１実施形態を示す斜視外観図であり、手動式バルブを開く専用のウィルキーを示している。図２は、本発明によるウィルキーの第１実施形態を示す斜視外観図であり、手動式バルブを閉じる専用のウィルキーを示している。図３は、前記第１実施形態による手動式バルブを開く専用のウィルキーの平面図であり、要部を横断面で示している。図４は、前記第１実施形態による手動式バルブを閉じる専用のウィルキーの平面図であり、要部を横断面で示している。
【００５３】
図５は、本発明によるウィルキーの第２実施形態を示す正面図であり、第１アームに第１凹部を設けている。図６は、本発明によるウィルキーの第３実施形態を示す正面図であり、第２アームに第２凹部を設けている。図７は、本発明によるウィルキーの第４実施形態を示す正面図であり、第１及び第２アームに第１及び第２凹部を設けている。図８は、前記第２実施形態のウィルキーの作用を説明する正面図である。図９は、前記第３実施形態のウィルキーの作用を説明する正面図である。
【００５４】
最初に、本発明による第１実施形態のウィルキーの構成を説明する。なお、以下の図面において、従来技術と同じ符号を使用する構成品は、作用を既に説明しているので説明を割愛することがある。
【００５５】
図１又は図２において、ウィルキー１ａ・１ｂは、長尺の操作桿１０と短尺の第１及び第２アーム１１・１２を備えている。操作桿１０は、一端側に把持部１０ａを有している。第１アーム１１は、操作桿１０の他端側の終端から屈折しており、操作桿１０の長手方向と略直交する方向に延びている。第１アーム１１は、スポーク９３及びリム９４の内側に当接可能となっている。
【００５６】
図１又は図２において、第２アーム１２は、第１アーム１１と所定間隔を設けて、第１アーム１１と略平行するように操作桿１０から延びている。又、第２アーム１２は、リム９４の外側に当接可能となっている。
【００５７】
図１において、ウィルキー１ａは、第１アーム１１が、リム９４の外周に係合可能な第１凹部１１ａを隅部に設けている。第２アーム１２は、リム９４の外周に係合可能な第２凹部１２ａを隅部に設けている。
【００５８】
一方、図２において、ウィルキー１ｂは、第１アーム１１が、リム９４の外周に係合可能な第１凹部１１ｂを隅部に設けている。第２アーム１２は、リム９４の外周に係合可能な第２凹部１２ｂを隅部に設けている。
【００５９】
図１又は図２において、操作桿１０は、十分な長さをもつ棒体で構成されている。第１及び第２アーム１１・１２は、操作桿１０より十分短い長さを有し、リム９４の直径を十分に超える長さを有している。そして、第１アーム１１と第２アーム１２の長さが等しくなっている。操作桿１０と第１及び第２アーム１１・１２は、略円形の柱状体で形成され、ウィルキー１ａ・１ｂは、いわゆる丸型ウィルキーとなっている。
【００６０】
図１において、第１凹部１１ａ又は第２凹部１２ａは、リム９４を囲う第１段差又は第２段差で形成されている。同様に、図２において、第１凹部１１ｂ又は第２凹部１２ｂは、リム９４を囲う第１段差又は第２段差で形成されている。
【００６１】
図３において、第１凹部１１ａを形成する第１段差と、第２凹部１２ａを形成する第２段差とは、対向して略平行する一対の段差面１１ｃ・１２ｃを有している。そして、手動式バルブ９を開く方向にハンドル９０を回転させるように、一対の段差面１１ｃ・１２ｃが形成されている。
【００６２】
一方、図４において、第１凹部１１ｂを形成する第１段差と、第２凹部１２ａを形成する第２段差とは、対向して略平行する一対の段差面１１ｄ・１２ｄを有している。そして、手動式バルブ９を閉じる方向にハンドル９０を回転させるように、一対の段差面１１ｄ・１２ｄが形成されている。
【００６３】
次に、本発明による第１実施形態のウィルキー１ａ・１ｂの作用を説明する。
【００６４】
図１又は図３に示されたウィルキー１ａは、ハンドル９０を反時計方向に回転させて手動式バルブ９を開くことができる。ハンドル９０の操作面から見て、スポーク９３の左側とリム９４の内側が交差する隅部に第１アーム１１が挿入される。第２アーム１２は第１アーム１１に対して右下に位置するように配置される。そして、把持部１０ａを反時計方向に回転させる。
【００６５】
図３に示されるように、スポーク９３及びリム９４の内側に第１アーム１１を当接し、リム９４の外側に第２アーム１２を当接し、操作桿１０をハンドル９０の遠心方向に引っ張りつつ、奥側に押し、ハンドル９０を反時計方向に回転することにより、手動式バルブ９を開くことができる。
【００６６】
図３において、ウィルキー１ａは、ハンドル９０に対して前記のように配置されるので、第２アーム１２から第１アーム１１に向かう方向に対して、第１段差の段差面１１ｃは、左略４５度に開角して開口している。一方、第１アーム１１から第２アーム１２に向かう方向に対して、第２段差の段差面１２ｃは、右略４５度に開角して開口している。
【００６７】
第１実施形態のウィルキー１ａは、第１凹部１１ａ又は第２凹部１２ａがリム９４を囲う第１段差又は第２段差で形成されており、第１段差の段差面１１ｃがリム９４の内側に当接でき、第２段差の段差面１２ｃがリム９４の外側に当接できる。第１実施形態のウィルキー１ａは、手動式バルブを開く専用のウィルキーとして、手動式バルブ９のハンドル９０からより確実に外れ難いという効果がある。
【００６８】
図２又は図４に示されたウィルキー１ｂは、ハンドル９０を時計方向に回転させて手動式バルブ９を開くことができる。ハンドル９０の操作面から見て、スポーク９３の右側とリム９４の内側が交差する隅部に第１アーム１１が挿入される。第２アーム１２は第１アーム１１に対して左下に位置するように配置される。そして、把持部１０ａを時計方向に回転させる。
【００６９】
図４に示されるように、スポーク９３及びリム９４の内側に第１アーム１１を当接し、リム９４の外側に第２アーム１２を当接し、操作桿１０をハンドル９０の遠心方向に引っ張りつつ、手前側に引き、ハンドル９０を時計方向に回転することにより、手動式バルブ９を閉じることができる。
【００７０】
図４において、ウィルキー１ｂは、ハンドル９０に対して前記のように配置されるので、第２アーム１２から第１アーム１１に向かう方向に対して、第１段差の段差面１１ｄは、右略４５度に開角して開口している。一方、第１アーム１１から第２アーム１２に向かう方向に対して、第２段差の段差面１２ｄは、左略４５度に開角して開口している。
【００７１】
第１実施形態のウィルキー１ｂは、第１凹部１１ｂ又は第２凹部１２ｂがリム９４を囲う第１段差又は第２段差で形成されており、第１段差の段差面１１ｄがリム９４の内側に当接でき、第２段差の段差面１２ｄがリム９４の外側に当接できる。第１実施形態のウィルキー１ｂは、手動式バルブを閉じる専用のウィルキーとして、手動式バルブ９のハンドル９０からより確実に外れ難いという効果がある。
【００７２】
次に、本発明による第２実施形態のウィルキーの構成を説明する。図５において、ウィルキー２は、長尺の操作桿２０と短尺の第１及び第２アーム２１・２２を備えている。操作桿２０は、一端側に把持部２ａを有している。第１アーム２１は、操作桿２０の他端側の終端から屈折しており、操作桿２０の長手方向と略直交する方向に延びている。第１アーム２１は、スポーク９３及びリム９４の内側に当接可能となっている。
【００７３】
図５において、第２アーム２２は、第１アーム２１と所定間隔を設けて、第１アーム２１と略平行するように操作桿２０から延びている。又、第２アーム２２は、リム９４の外側に当接可能となっている。第１アーム２１は、リム９４の外周に係合可能な第１凹部２１ａを隅部に設けている。そして、第１凹部２１ａは、リム９４を囲う第１窪みで形成されている。
【００７４】
図５において、操作桿２０は、十分な長さをもつ棒体で構成されている。第１及び第２アーム２１・２２は、操作桿２０より十分短い長さを有し、リム９４の直径を十分に超える長さを有している。そして、第１アーム２１と第２アーム２２の長さが等しくなっている。操作桿２０と第１及び第２アーム２１・２２は、略矩形の柱状体で形成され、ウィルキー２は、いわゆる角型ウィルキーとなっている。
【００７５】
次に、本発明による第３実施形態のウィルキーの構成を説明する。図６において、ウィルキー３は、長尺の操作桿３０と短尺の第１及び第２アーム３１・３２を備えている。操作桿３０は、一端側に把持部３ａを有している。第１アーム３１は、操作桿３０の他端側の終端から屈折しており、操作桿３０の長手方向と略直交する方向に延びている。第１アーム３１は、スポーク９３及びリム９４の内側に当接可能となっている。
【００７６】
図６において、第２アーム３２は、第１アーム３１と所定間隔を設けて、第１アーム３１と略平行するように操作桿３０から延びている。又、第２アーム３２は、リム９４の外側に当接可能となっている。第２アーム３２は、リム９４の外周に係合可能な第２凹部３２ｂを隅部に設けている。そして、第２凹部３２ｂは、リム９４を囲う第２窪みで形成されている。
【００７７】
図６において、操作桿３０は、十分な長さをもつ棒体で構成されている。第１及び第２アーム３１・３２は、操作桿３０より十分短い長さを有し、リム９４の直径を十分に超える長さを有している。そして、第１アーム３１と第２アーム３２の長さが等しくなっている。操作桿３０と第１及び第２アーム３１・３２は、略矩形の柱状体で形成され、ウィルキー３は、いわゆる角型ウィルキーとなっている。
【００７８】
次に、本発明による第４実施形態のウィルキーの構成を説明する。図７において、ウィルキー４は、長尺の操作桿４０と短尺の第１及び第２アーム４１・４２を備えている。操作桿４０は、一端側に把持部４ａを有している。第１アーム４１は、操作桿３０の他端側の終端から屈折しており、操作桿４０の長手方向と略直交する方向に延びている。第１アーム４１は、スポーク９３及びリム９４の内側に当接可能となっている。
【００７９】
図７において、第２アーム４２は、第１アーム４１と所定間隔を設けて、第１アーム４１と略平行するように操作桿４０から延びている。又、第２アーム４２は、リム９４の外側に当接可能となっている。第１アーム４１は、リム９４の外周に係合可能な第１凹部４１ａを隅部に設けている。又、第２アーム４２は、リム９４の外周に係合可能な第２凹部４２ｂを隅部に設けている。そして、第１及び第２凹部４１ａ・４２ｂは、リム９４を囲う第１窪み及び第２窪みで形成されている。
【００８０】
図７において、操作桿４０は、十分な長さをもつ棒体で構成されている。第１及び第２アーム４１・４２は、操作桿４０より十分短い長さを有し、リム９４の直径を十分に超える長さを有している。そして、第１アーム４１と第２アーム４２の長さが等しくなっている。操作桿３０と第１及び第２アーム３１・３２は、略矩形の柱状体で形成され、ウィルキー３は、いわゆる角型ウィルキーとなっている。
【００８１】
次に、本発明による第２から第４実施形態のウィルキーの作用を説明する。
【００８２】
図８において、手動式バルブを閉じるときには、ハンドル９０を時計方向に回転させるので、人間の習性として、ウィルキー２を引き下げる力が作用すると考えられる。すなわち、第２アーム２２を支点として第１アーム２１が浮き上がるように回転し、第１アーム２１がリム９４から外れ易いと考えられる。手動式バルブを閉じるときには、第１アーム２１に第１凹部２１ａを設けるウィルキー２が好ましいと考えられる。
【００８３】
一方、図９において、手動式バルブを開くときには、ハンドル９０を反時計方向に回転させるので、人間の習性として、ウィルキー３を押し上げる力が作用すると考えられる。すなわち、第１アーム３１を支点として第２アーム３２が浮き上がるように回転し、第２アーム３２がリム９４から外れ易いと考えられる。手動式バルブを開くときには、第２アーム３２に第２凹部３２ｂを設けるウィルキー３が好ましいと考えられる。
【００８４】
図８又は図９において、一方、工具に人間が慣れるともいわれ、第１アーム３１に第１凹部２１ａを設けたウィルキー２を用いて、ハンドル９０を外すことなく手動式バルブを開くことができ、第２アーム３２に第２凹部３２ｂを設けたウィルキー４を用いて、ハンドル９０を外すことなく、手動式バルブを閉じることができると考えられる。つまり、第１凹部２１ａ又は第２凹部３２ｂがいずれか一方だけであっても、手動式バルブの開閉にハンドル９０を外すことなく有効に機能すると考えられる。
【００８５】
図７に示されたウィルキー４は、長尺の操作桿４０と短尺の第１及び２アーム４１・４２を備え、第１アーム４１と第２アーム４２は、ハンドル９０を構成するリム９４の外周に係合可能な第１凹部４１ａ又は第２凹部４２ｂをそれぞれ隅部に設けているので、手動式バルブのハンドルからウィルキーがより確実に外れ難いという効果がある。
【００８６】
本発明によるウィルキーは、長尺の操作桿と短尺の二つのアームを備え、リムの外周に係合可能な凹部をアームに設けているので、ウィルキーが手動式バルブのハンドルから外れ難いという効果がある。凹部は、段差でよく窪みであってもよい。そして、いずれか一方のアームのこの凹部を設けてよく、二つのアームの対向する隅部に一対の凹部を設けてもよい。
【図面の簡単な説明】
【００８７】
【図１】本発明によるウィルキーの第１実施形態を示す斜視外観図であり、手動式バルブを開く専用のウィルキーを示している。
【図２】本発明によるウィルキーの第１実施形態を示す斜視外観図であり、手動式バルブを閉じる専用のウィルキーを示している。
【図３】前記第１実施形態による手動式バルブを開く専用のウィルキーの平面図であり、要部を横断面で示している。
【図４】前記第１実施形態による手動式バルブを閉じる専用のウィルキーの平面図であり、要部を横断面で示している。
【図５】本発明によるウィルキーの第２実施形態を示す正面図であり、第１アームに第１凹部を設けている。
【図６】本発明によるウィルキーの第３実施形態を示す正面図であり、第２アームに第２凹部を設けている。
【図７】本発明によるウィルキーの第４実施形態を示す正面図であり、第１及び第２アームに第１及び第２凹部を設けている。
【図８】前記第２実施形態のウィルキーの作用を説明する正面図である
【図９】前記第３実施形態のウィルキーの作用を説明する正面図である。
【図１０】従来技術による一般的なウィルキーを示す斜視外観図である。
【図１１】従来技術による一般的なウィルキーを用いて、手動式バルブが閉じる方向にハンドルを回転している状態図である。
【図１２】従来技術による一般的なウィルキーがハンドルから外れた状態図である。
【符号の説明】
【００８８】
１ａ・１ｂ・２・３・４  ウィルキー
１０・２０・３０・４０  操作桿
１０ａ・２ａ・３ａ・４ａ  把持部
１１・２１・３１・４１  第１アーム
１２・２２・３２・４２  第２アーム
１１ａ・１１ｂ・２１ａ・４１ａ  第１凹部
１２ａ・１２ｂ・３２ｂ・４２ｂ  第２凹部
９０  ハンドル
９３  スポーク
９４  リム
【図１】
2009028846.tif 000003
【図２】
2009028846.tif 000004
【図３】
2009028846.tif 000005
【図４】
2009028846.tif 000006
【図５】
2009028846.tif 000007
【図６】
2009028846.tif 000008
【図７】
2009028846.tif 000009
【図８】
2009028846.tif 000010
【図９】
2009028846.tif 000011
【図１０】
2009028846.tif 000012
【図１１】
2009028846.tif 000013
【図１２】
2009028846.tif 000014